(57)【要約】省電力モード（ＰＳＭ）を使用して通信する方法、進化型ノードＢ（ｅＮＢ）、ユーザ機器（ＵＥ）、及びモビリティ管理エンティティ（ＭＭＥ）が、一般に説明される。ＵＥのＰＳＭ設定インジケーションが、初期ＵＥコンテキストセットアップリクエスト、ＵＥコンテキスト変更リクエスト、コアネットワーク支援情報、又は、ｅＮＢへの専用メッセージに含められて、ＵＥ又はＭＭＥから、ｅＮＢにおいて受信され得る。ｅＮＢは、ＰＳＭ設定インジケーションに基づいて、ＲＲＣ接続解放メッセージをＵＥに送信する時間を調整することができる。ｅＮＢは、ＵＥが接続モードにあるかどうか、及び、ｅＮＢのインアクティビティタイマがＰＳＭ設定インジケーションのアクティブ化タイマに達したかどうか、を判定し、ＲＲＣ接続解放メッセージをＭＭＥに送信することができる。ＰＳＭ設定は、ハンドオーバー中に、ｅＮＢ間で提供され得る。
2017517226.tif 000002
【特許請求の範囲】
【請求項１】
ユーザ機器（ＵＥ）と通信するよう構成されているトランシーバと、
処理回路であって、
前記ＵＥの省電力モード（ＰＳＭ）設定インジケーションであって、前記ＵＥのＰＳＭ設定を含むＰＳＭ設定インジケーションを受信するように前記トランシーバを構成し、
前記の受信されたＰＳＭ設定インジケーションに基づいて、前記ＵＥが接続モードにあるときに前記ＵＥの無線リソース制御（ＲＲＣ）接続の解放のタイミングを調整して、調整された送信時間を設定し、
前記の受信されたＰＳＭ設定インジケーションに基づく調整された送信時間に、ＲＲＣ接続解放メッセージを前記ＵＥに送信するように前記トランシーバを構成する
よう構成されている処理回路と、
を備えた進化型ノードＢ（ｅＮＢ）。
【請求項２】
前記処理回路は、さらに、
前記ＰＳＭ設定インジケーションに基づいて、前記ｅＮＢのインアクティビティタイマを調整し、
前記インアクティビティタイマが、前記ＰＳＭ設定インジケーションにより示される予め定められた時間に達すると、前記ｅＮＢとモビリティ管理エンティティ（ＭＭＥ）との間で前記ＵＥに関連するＳ１コンテキストを解放するためのＵＥコンテキスト解放リクエストを、前記ＭＭＥに送信するように前記トランシーバを構成する
よう構成されている、請求項１記載のｅＮＢ。
【請求項３】
前記ＰＳＭ設定インジケーションは、前記ＰＳＭ設定インジケーションが、前記ＵＥの前記ＰＳＭに関連付けられていることと、前記ＵＥとモビリティ管理エンティティ（ＭＭＥ）との間でネゴシエートされるＴ３３２４タイマに関連付けられているアクティブ化タイマと、を示す１ビット情報要素を含む、請求項１記載のｅＮＢ。
【請求項４】
前記処理回路は、
前記ＵＥから前記ＰＳＭ設定インジケーションを受信するように前記トランシーバを構成する
よう構成されている、請求項１記載のｅＮＢ。
【請求項５】
前記処理回路は、
モビリティ管理エンティティ（ＭＭＥ）から前記ＰＳＭ設定インジケーションを受信するように前記トランシーバを構成する
よう構成されている、請求項１記載のｅＮＢ。
【請求項６】
前記処理回路は、
前記ＭＭＥから、初期ＵＥコンテキストセットアップリクエスト及びＵＥコンテキスト変更リクエストのうちの１つに含まれる前記ＰＳＭ設定インジケーションを受信するように前記トランシーバを構成する
よう構成されている、請求項５記載のｅＮＢ。
【請求項７】
前記初期ＵＥコンテキストセットアップリクエスト又は前記ＵＥコンテキスト変更リクエストは、前記ＭＭＥが、非アクセス層（ＮＡＳ）サービスリクエスト、ＮＡＳ拡張サービスリクエスト、ＮＡＳアタッチリクエスト、及びＮＡＳ追跡エリアアップデート（ＴＡＵ）リクエストのうちの少なくとも１つを受信したことにより、前記ＭＭＥにおいてトリガされる、請求項６記載のｅＮＢ。
【請求項８】
前記処理回路は、
前記ＭＭＥから、コアネットワーク支援情報の予め定められたパラメータに含まれる前記ＰＳＭ設定インジケーションを受信するように前記トランシーバを構成する
よう構成されている、請求項５記載のｅＮＢ。
【請求項９】
前記処理回路は、
前記ＭＭＥから、前記ｅＮＢに前記ＰＳＭ設定インジケーションを提供するのに専用である別個のメッセージを受信するように前記トランシーバを構成する
よう構成されている、請求項５記載のｅＮＢ。
【請求項１０】
前記トランシーバが、前記ＭＭＥから、前記ＵＥの前記ＰＳＭ設定インジケーションを受信する前に、前記処理回路は、さらに、
前記ＵＥがＰＳＭ設定インジケーションを有するかどうかを前記ｅＮＢに送信するように前記ＭＭＥに指示するよう構成されているメッセージを、前記ＭＭＥに送信するように前記トランシーバを構成する
よう構成されている、請求項５記載のｅＮＢ。
【請求項１１】
前記処理回路は、さらに、
別のｅＮＢへの前記ＵＥのハンドオーバー中に、前記ＰＳＭ設定インジケーションに関連付けられているＰＳＭ設定インジケーションを、前記別のｅＮＢに送信するように前記トランシーバを構成する
よう構成されている、請求項１記載のｅＮＢ。
【請求項１２】
前記処理回路は、さらに、
前記別のｅＮＢから前記ＰＳＭ設定インジケーションを求めるリクエストを受信したことに応じて、前記ＰＳＭ設定インジケーションを前記別のｅＮＢに送信するように前記トランシーバを構成する
よう構成されている、請求項１１記載のｅＮＢ。
【請求項１３】
前記処理回路は、さらに、
前記ＵＥが接続モードにあるときに前記ＵＥの前記ＲＲＣ接続の解放のタイミングを調整する
よう構成されている、請求項１１記載のｅＮＢ。
【請求項１４】
前記トランシーバと前記ＵＥとの間で通信を伝送するよう構成されているアンテナ
をさらに備えた、請求項１記載のｅＮＢ。
【請求項１５】
ユーザ機器（ＵＥ）の装置であって、
進化型ノードＢ（ｅＮＢ）と通信するよう構成されているトランシーバと、
処理回路であって、
前記ＵＥの省電力モード（ＰＳＭ）設定を含むＰＳＭ設定インジケーションを送信するように前記トランシーバを構成し、
前記ＵＥが接続モードにあるときに、前記の送信されたＰＳＭ設定インジケーションに基づく時間に、前記ｅＮＢから無線リソース制御（ＲＲＣ）接続解放メッセージを受信するように前記トランシーバを構成する
よう構成されている処理回路と、
を備えた装置。
【請求項１６】
前記ＰＳＭ設定インジケーションは、前記ＰＳＭ設定インジケーションが、前記ＵＥの前記ＰＳＭに関連付けられていることと、前記ＵＥとモビリティ管理エンティティ（ＭＭＥ）との間でネゴシエートされるＴ３３２４タイマに関連付けられているアクティブ化タイマと、を示す１ビット情報要素を含む、請求項１５記載の装置。
【請求項１７】
前記処理回路は、
前記ｅＮＢ及びモビリティ管理エンティティ（ＭＭＥ）のうちの１つに、前記ＰＳＭ設定インジケーションを送信するように前記トランシーバを構成する
よう構成されている、請求項１５記載の装置。
【請求項１８】
前記処理回路は、さらに、
別のｅＮＢへの前記ＵＥのハンドオーバー中に、前記ＰＳＭ設定インジケーションに関連付けられている、前記別のｅＮＢへのＰＳＭ設定インジケーションを受信するように前記トランシーバを構成する
よう構成されている、請求項１５記載の装置。
【請求項１９】
ユーザ機器（ＵＥ）と通信する進化型ノードＢ（ｅＮＢ）に、
モビリティ管理エンティティ（ＭＭＥ）から、前記ＵＥの省電力モード（ＰＳＭ）設定インジケーションを受信する動作であって、前記ＰＳＭ設定インジケーションは、前記ＵＥのＰＳＭ設定を含み、前記ＰＳＭ設定インジケーションは、初期ＵＥコンテキストセットアップリクエストと、ＵＥコンテキスト変更リクエストと、コアネットワーク支援情報のパターンパラメータと、前記ｅＮＢに前記ＰＳＭ設定インジケーションを提供するのに専用であるメッセージと、のうちの１つに含まれる、動作と、
前記ＵＥが接続モードにあるかどうかを判定する動作と、
前記ＵＥが接続モードにあると判定したことに応じて、無線リソース制御（ＲＲＣ）接続解放メッセージを、前記の受信されたＰＳＭ設定インジケーションに基づく、前記ＲＲＣ接続解放メッセージの送信のタイミングで、前記ＵＥに送信する動作と、
を実行させるコンピュータプログラム。
【請求項２０】
前記コンピュータプログラムは、前記ｅＮＢに、さらに、
前記ＵＥがＰＳＭ設定インジケーションを有するかどうかを前記ｅＮＢに送信するように前記ＭＭＥに指示するよう構成されているメッセージを、前記ＭＭＥに送信する動作であって、該ＰＳＭ設定インジケーションは、前記メッセージに応じて前記ＭＭＥから受信される、動作と、
別のｅＮＢへの前記ＵＥのハンドオーバー中に、前記ＰＳＭ設定インジケーションを前記別のｅＮＢに送信する動作と、
のうちの少なくとも１つを実行させる、請求項１９記載のコンピュータプログラム。
【請求項２１】
請求項１９又は２０記載のコンピュータプログラムを記憶しているコンピュータ読み取り可能な記憶媒体。
【発明の詳細な説明】
【技術分野】
【０００１】
実施形態は、無線アクセスネットワークに関する。いくつかの実施形態は、ロングタームエボリューション（ＬＴＥ）ネットワーク及びＬＴＥアドバンスト（ＬＴＥ−Ａ）ネットワーク等の無線アクセスネットワークにおける省電力に関する。
【０００２】
（優先権主張）
本出願は、２０１４年５月８日に出願された「PROCEDURES  TO  INDICATE  UE  PSM(POWER  SAVING  MODE)」という名称の米国仮特許出願第６１／９９０６８４号に対する優先権の利益を主張する。米国仮特許出願第６１／９９０６８４号は、参照によりその全体が本明細書に組み込まれる。
【背景技術】
【０００３】
モバイルネットワークは、多種多様な特性又は要件に従って動作し得る様々なデバイスをサポートし得る。スマートフォン又は同様のデバイスは、高データ速度で大量のデータを受信してダウンロードすることができるのに対し、マシン型通信（ＭＴＣ）デバイスは、これに比べてかなり少ないデータしか送信又は受信することができない。ＭＴＣデバイスの数は、この先１０年間にわたって、数百億まで爆発的に増加することが予想されている。ＭＴＣデバイスは、オプションの機能サポート、トラフィック特性サポート、アクセス優先順位、輻輳管理、ユーザプレーントラフィックに対するシグナリングの比率等の点で、他の第３世代パートナーシッププロジェクト（３ＧＰＰ）ユーザ機器（ＵＥ）とは異なる要件を有し得る。多くのＭＴＣデバイスは、ネットワーク上に非常に低いユーザプレーントラフィックを発生させ、多くのそのようなＭＴＣデバイスは、３ＧＰＰ  Ｒｅｌ−１０仕様において規定されている低アクセス優先順位とみなされ得る。
【０００４】
ＭＴＣデバイスが、低優先順位アクセスを用いて、少量のデータしか送信しないとしても、ロングタームエボリューション（ＬＴＥ）ネットワークを介してデータを送信するＭＴＣデバイスの数の著しい増加は、ＬＴＥネットワークのコアネットワーク及び／又は無線アクセスネットワークに過負荷を掛ける可能性がある。さらに、所定のＭＴＣデバイスは、自身のバッテリを充電することができないことがあるので、そのようなＭＴＣデバイスがバッテリ電力を節約するようにすることが望ましい。
【０００５】
したがって、ＵＥ、特に、ＭＴＣデバイスの電力消費を改善することが望ましいであろう。
【図面の簡単な説明】
【０００６】
必ずしも縮尺通りに描かれていない図面において、類似する符号は、異なる図面において、類似するコンポーネントを表し得る。異なる接尾文字を有する類似する符号は、類似するコンポーネントの異なるインスタンスを表し得る。図面は、概して、限定ではなく例として、本文書で説明する様々な実施形態を示している。
【図１】いくつかの実施形態に従った、ＬＴＥネットワークの様々なコンポーネントを含む、ＬＴＥネットワークのエンドツーエンドネットワークアーキテクチャの一部分の例を示す図。
【図２】いくつかの実施形態に従った通信デバイスの機能ブロック図。
【図３】いくつかの実施形態に従った、進化型ノードＢ（ｅＮＢ）とモビリティ管理エンティティ（ＭＭＥ）との間で提供される省電力モード（ＰＳＭ）設定インジケーションを示す図。
【図４】いくつかの実施形態に従った、ｅＮＢとＭＭＥとの間で提供されるＰＳＭ設定インジケーションを示す図。
【図５】いくつかの実施形態に従った、ユーザ機器（ＵＥ）とｅＮＢとの間で提供されるＰＳＭ設定インジケーションを示す図。
【図６】いくつかの実施形態に従った、ｅＮＢが、ＵＥのＰＳＭ設定インジケーションを取得する方法のフローチャート。
【発明を実施するための形態】
【０００７】
以下の説明及び図面は、当業者が特定の実施形態を実施できるようにするために、そのような特定の実施形態を十分に開示している。他の実施形態は、構造的変更、論理的変更、電気的変更、処理的変更、及び他の変更を組み込み得る。いくつかの実施形態の部分及び特徴は、他の実施形態の部分及び特徴に含まれてもよいし、他の実施形態の部分及び特徴の代わりに使用されてもよい。請求項において記載される実施形態は、請求項の全ての利用可能な均等形態を包含する。
【０００８】
図１は、いくつかの実施形態に従った、ロングタームエボリューション（ＬＴＥ）ネットワークの様々なコンポーネントを含む、ＬＴＥネットワークのエンドツーエンドネットワークアーキテクチャの一部分の例を示している。ネットワーク１００は、無線アクセスネットワーク（ＲＡＮ）（例えば、図示されているような、進化型ユニバーサル地上無線アクセスネットワーク（Ｅ−ＵＴＲＡＮ））１０１及び（例えば、進化型パケットコア（ＥＰＣ）として図示されている）コアネットワーク１２０を含み得る。ＲＡＮ１０１及びコアネットワーク１２０は、Ｓ１インタフェース１１５を介して互いに接続される。便宜上且つ簡潔さのために、ＲＡＮ１０１及びコアネットワーク１２０の一部分のみが、この例において図示されている。
【０００９】
コアネットワーク１２０は、モビリティ管理エンティティ（ＭＭＥ）１２２、サービングゲートウェイ（サービングＧＷ）１２４、及びパケットデータネットワークゲートウェイ（ＰＤＮ  ＧＷ）１２６を含み得る。ＲＡＮ１０１は、ユーザ機器（ＵＥ）１０２と通信する進化型ノードＢ（ｅＮＢ）１０４（これらは基地局として動作し得る）を含み得る。ＵＥは、セル電話機等の一般的なＵＥ、又は、３ＧＰＰ  Ｒｅｌ−１２カテゴリ０又はＲｅｌ−１３による低電力（ＬＰ）／低複雑度（ＬＣ）ＵＥであり得る。ｅＮＢ１０４は、マクロｅＮＢ及び低電力（ＬＰ）ｅＮＢを含み得る。
【００１０】
ＭＭＥ１２２は、レガシーサービングＧＰＲＳサポートノード（ＳＧＳＮ）の制御プレーンと機能が類似したものであり得る。ＭＭＥ１２２は、ゲートウェイ選択及び追跡エリアリスト管理等の、アクセスにおけるモビリティの側面を管理することができる。サービングＧＷ１２４は、ＲＡＮ１０１に対するインタフェースを終端し得、ＲＡＮ１０１とコアネットワーク１２０との間でデータパケットをルーティングすることができる。さらに、サービングＧＷ１２４は、ｅＮＢ間ハンドオーバーのためのローカルモビリティアンカーポイントであり得、また、３ＧＰＰモビリティのためのアンカーを提供し得る。他の役割は、合法的傍受（lawful  intercept）、課金、及び何らかのポリシー施行（policy  enforcement）を含み得る。サービングＧＷ１２４及びＭＭＥ１２２は、１つの物理ノード内又は別々の物理ノード内に実装され得る。ＰＤＮ  ＧＷ１２６は、パケットデータネットワーク（ＰＤＮ）に対するＳＧｉインタフェースを終端し得る。ＰＤＮ  ＧＷ１２６は、ＥＰＣ１２０と外部ＰＤＮとの間でデータパケットをルーティングすることができ、ポリシー施行及び課金データ収集を実行することができる。ＰＤＮ  ＧＷ１２６はまた、非ＬＴＥアクセスによるモビリティデバイスのためのアンカーポイントを提供し得る。外部ＰＤＮは、任意の種類のＩＰネットワーク、及び、ＩＰマルチメディアサブシステム（ＩＭＳ）ドメインであり得る。ＰＤＮ  ＧＷ１２６及びサービングＧＷ１２４は、１つの物理ノード内又は別々の物理ノード内に実装され得る。
【００１１】
ｅＮＢ１０４（マクロ及びマイクロ）は、エアインタフェースプロトコルを終端し、ＵＥ１０２の最初のコンタクトポイントであり得る。いくつかの実施形態において、ｅＮＢ１０４は、無線ベアラ管理、上りリンク及び下りリンクの動的な無線リソース管理及びデータパケットスケジューリング、並びにモビリティ管理等のＲＮＣ（無線ネットワークコントローラ）機能を含むがこれらに限定されない、ＲＡＮ１０１のための様々な論理的機能を実行することができる。実施形態に従うと、ＵＥ１０２は、ＯＦＤＭＡ通信技術に従って、マルチキャリア通信チャネルを介してＯＦＤＭ通信信号をｅＮＢ１０４と通信するよう構成され得る。ＯＦＤＭ通信信号は、複数の直交サブキャリアを含み得る。
【００１２】
Ｓ１インタフェース１１５は、ＲＡＮ１０１とＥＰＣ１２０とを分離するインタフェースであり得、Ｓ１−Ｕ及びＳ１−ＭＭＥという２つの部分に分けられる。Ｓ１−Ｕは、ｅＮＢ１０４とサービングＧＷ１２４との間でトラフィックデータを伝達し得、Ｓ１−ＭＭＥは、ｅＮＢ１０４とＭＭＥ１２２との間のシグナリングインタフェースであり得る。Ｘ２インタフェースは、ｅＮＢ１０４間のインタフェースであり得る。Ｘ２インタフェースは、Ｘ２−Ｃ及びＸ２−Ｕという２つの部分を含み得る。Ｘ２−Ｃは、ｅＮＢ１０４間の制御プレーンインタフェースであり得るのに対し、Ｘ２−Ｕは、ｅＮＢ１０４間のユーザプレーンインタフェースであり得る。
【００１３】
セルラネットワークについて、ＬＰセルは、典型的には、屋外信号が良好に到達しない屋内エリアまでカバレッジを拡大するために使用され得る、あるいは、混雑する使用を伴うエリアにおけるネットワークキャパシティを追加するために使用され得る。特に、異なるサイズのセル、マクロセル、マイクロセル、ピコセル、及びフェムトセルを使用する無線通信システムのカバレッジを拡大して、システム性能を強化することが望ましいことであり得る。異なるサイズのセルは、ＬＴＥ免許不要帯域等の同じ周波数帯域で動作することもあるし、各セルが異なる周波数帯域で動作するように異なる周波数帯域で動作することもあるし、異なるサイズのセルのみが異なる周波数帯域で動作するように異なる周波数帯域で動作することもある。本明細書で使用されるとき、低電力（ＬＰ）ｅＮＢという用語は、フェムトセル、ピコセル、又はマイクロセル等のより狭いセル（マクロセルよりも狭いセル）を実装するための任意の適切な相対的に低い電力のｅＮＢを指す。フェムトセルｅＮＢは、典型的には、移動通信事業者により、その住宅顧客又はエンタープライズ顧客に提供され得る。フェムトセルは、通常、住宅ゲートウェイのサイズ以下であり、概して、ユーザのブロードバンド回線に接続することができる。フェムトセルは、移動通信事業者のモバイルネットワークに接続することができ、通常は３０〜５０メートルの範囲の追加のカバレッジを提供することができる。したがって、ＬＰ  ｅＮＢは、ＰＤＮ  ＧＷ１２６を介して接続されるので、フェムトセルｅＮＢであり得る。同様に、ピコセルは、建物（オフィス、ショッピングモール、駅等）内又はより最近では航空機内等の小さなエリアを典型的にはカバーする無線通信システムであり得る。ピコセルｅＮＢは、概して、その基地局コントローラ（ＢＳＣ）機能を通じて、Ｘ２リンクを介して、マクロｅＮＢ等の別のｅＮＢに接続することができる。したがって、ＬＰ  ｅＮＢは、Ｘ２インタフェースを介してマクロｅＮＢに接続され得るので、ピコセルｅＮＢを用いて実装され得る。ピコセルｅＮＢ又は他のＬＰ  ｅＮＢは、マイクロｅＮＢの一部の機能又は全ての機能を組み込むことができる。いくつかの場合において、これは、アクセスポイント基地局又はエンタープライズフェムトセルと呼ばれることがある。
【００１４】
ＬＴＥネットワークを介する通信は、１０ｍｓのフレームに分割され得、１０ｍｓのフレームの各々は、１０個の１ｍｓのサブフレームを含み得る。今度は、各サブフレームは、０．５ｍｓである２つのスロットを含み得る。各スロットは、使用されるシステムに応じて、６〜７つのシンボルを含み得る。リソースブロック（ＲＢ）（物理リソースブロック（ＰＲＢ）とも呼ばれる）は、ＵＥに割り当てられ得るリソースの最小ユニットであり得る。リソースブロックは、周波数においては１８０ｋＨｚ幅であり、時間においては１スロット長さであり得る。周波数においては、リソースブロックは、１２×１５ｋＨｚサブキャリア幅又は２４×７．５ｋＨｚ幅のいずれかであり得る。ほとんどのチャネル及び信号について、１つのリソースブロックにつき１２個のサブキャリアが使用され得る。周波数分割複信（ＦＤＤ）モードにおいて、上りリンク及び下りリンクの両方のフレームは、１０ｍｓであり、周波数分離（全二重）又は時間分離（半二重）され得る。時分割複信（ＴＤＤ）において、上りリンク及び下りリンクのサブフレームは、同じ周波数で伝送され得、時間領域において多重化される。ｅＮＢからＵＥへの下りリンク伝送のために、下りリンクリソースグリッドが使用され得る。このグリッドは、時間−周波数グリッドであり得、これは、各スロットにおける下りリンクでの物理リソースである。リソースグリッドの各列及び各行はそれぞれ、１つのＯＦＤＭシンボル及び１つのＯＦＤＭサブキャリアに対応し得る。時間領域におけるリソースグリッドの継続時間は、１スロットに対応し得る。リソースグリッドにおける最小時間−周波数ユニットは、リソース要素と表される。各リソースグリッドは、リソース要素への所定の物理チャネルのマッピングを表す複数の上記リソースブロックを含み得る。各リソースブロックは、１２（サブキャリア）×１４（シンボル）＝１６８個のリソース要素を含み得る。
【００１５】
このようなリソースブロックを使用して伝達される複数の異なる物理下りリンクチャネルが存在し得る。これらの物理下りリンクチャネルのうちの２つの物理下りリンクチャネルが、物理下りリンク制御チャネル（ＰＤＣＣＨ）及び物理下りリンク共用チャネル（ＰＤＳＣＨ）であり得る。各サブフレームは、ＰＤＣＣＨ及びＰＤＳＣＨに区分され得る。ＰＤＣＣＨは、通常、各サブフレームの最初の２つのシンボルを占有し、とりわけ、ＰＤＳＣＨチャネルに関連するリソース割り当て及びトランスポートフォーマットについての情報に加えて、上りリンク共用チャネルに関連するＨ−ＡＲＱ情報を伝達し得る。ＰＤＳＣＨは、ユーザデータ及びより高いレイヤのシグナリングをＵＥに伝達し、サブフレームの残りを占有し得る。通常、下りリンクスケジューリング（セル内のＵＥへの、制御チャネルリソースブロック及び共用チャネルリソースブロックの割り当て）は、ＵＥからｅＮＢに提供されるチャネル品質情報に基づいて、ｅＮＢにおいて実行され得、次いで、下りリンクリソース割り当て情報が、各ＵＥのために使用される（各ＵＥに割り当てられた）ＰＤＣＣＨ上で各ＵＥに送信され得る。ＰＤＣＣＨは、リソースグリッドからの、同じサブフレームにおいてＰＤＳＣＨ上で送信されるデータをどのように見つけて復号するかをＵＥに伝える複数のフォーマットのうちの１つのフォーマットでの下りリンク制御情報（ＤＣＩ）を含み得る。ＤＣＩフォーマットは、リソースブロックの数、リソース割り当てのタイプ、変調方式、トランスポートブロック、冗長バージョン、符号化速度等といった詳細を提供し得る。各ＤＣＩフォーマットは、巡回冗長符号（ＣＲＣ）を有し、ＰＤＳＣＨが意図されるターゲットＵＥを識別する無線ネットワーク一時識別子（ＲＮＴＩ）を用いてスクランブルされ得る。ＵＥ固有のＲＮＴＩの使用は、ＤＣＩフォーマット（したがって、対応するＰＤＳＣＨ）の復号を、意図されるＵＥのみに制限し得る。
【００１６】
いくつかの実施形態において、ＵＥ１０２は、省電力モード（ＰＳＭ）に入ることができる。ＰＳＭは、ＵＥ１０２がモバイル着信サービスに到達可能である時間を制限することにより、ＵＥの電力消費を低減させることを目的とし得る。詳細には、ＰＳＭは、ＵＥ１０２が、任意のアクセス層関連機能をオフに切り替えること、すなわち、ネットワーク接続を介する無線ネットワーク１０１とＵＥ１０２との間のデータの伝送及び無線リソースの管理を終了させることを可能にし得る。しかしながら、ＰＳＭは、ネットワークがＵＥ１０２をアイドルモードに解放した後にのみ有効であり得、ここでは、ＵＥ１０２とネットワーク１０１との間に確立された無線リソース制御（ＲＲＣ）接続は存在しない。いくつかの状況において、ネットワーク１０１がＵＥ１０２をアイドルモードに解放し、ＵＥ１０２がＰＳＭに入るために望まれる時間よりも多くの時間を要することがある。
【００１７】
いくつかの実施形態において、ｅＮＢ１０４は、ＵＥ１０２がＰＳＭに入ることができ得ることを示す、ＵＥ１０２のＰＳＭ設定インジケーション（PSM  configuration  indication）を受信するよう構成され得る。これらの実施形態において、ｅＮＢ１０４は、受信したＰＳＭ設定インジケーションに基づいて、ＵＥ１０２のＲＲＣ接続の解放のタイミングを調整することができる。いくつかのＬＴＥの実施形態において、ＲＲＣ接続の解放は、ＵＥ１０２が接続モードにあるときに生じ得る。いくつかのＵＭＴＳの実施形態において、ＲＲＣ接続の解放は、ＵＥ１０２が、接続モードにあり、且つ、セルページングチャネル（ＣＥＬＬ  ＰＣＨ）状態、ユニバーサル地上無線アクセスネットワーク（ＵＴＲＡＮ）登録エリア（ＵＲＡ）ページングチャネル（ＵＲＡ  ＰＣＨ）状態、及び転送アクセスチャネル（ＣＥＬＬ  ＦＡＣＨ）状態のうちの１つの状態にあるときに、調整された送信時間において生じ得る。
【００１８】
図２は、いくつかの実施形態に従った通信デバイスの機能ブロック図を示している。通信デバイス２００は、ＵＥ１０２（図１）等のＵＥ又はｅＮＢ１０４（図１）のうちの１以上のｅＮＢ等のｅＮＢとして使用するのに適したものであり得る。通信デバイス２００は、物理レイヤ（ＰＨＹ）回路２０２を含み得る。ＰＨＹ回路２０２は、ＰＨＹ回路２０２に電気的に接続された１以上のアンテナ２０１を使用して、通信デバイス２００と、他のｅＮＢ、他のＵＥ、又は他のデバイスと、の間で、無線周波数電気信号を送受信する。ＰＨＹ回路２０２は、変調／復調、アップコンバージョン／ダウンコンバージョン、フィルタリング、増幅等のための回路を含み得る。通信デバイス２００はまた、媒体アクセス制御レイヤ（ＭＡＣ）回路２０４を含み得る。ＭＡＣ回路２０４は、無線媒体へのアクセスを制御し、無線媒体を介して通信するフレーム又はパケットを構成する。通信デバイス２００はまた、本明細書に記載の動作を実行するようにセルラデバイスの様々な要素を構成するよう構成されている処理回路２０６及びメモリ２０８を含み得る。メモリ２０８は、本明細書に記載の動作を実行するように処理回路２０６を構成するための情報を記憶するために使用され得る。
【００１９】
いくつかの実施形態において、通信デバイス２００は、携帯情報端末（ＰＤＡ）、無線通信能力を有するラップトップコンピュータ又はポータブルコンピュータ、ウェブタブレット、無線電話機、スマートフォン、無線ヘッドセット、ページャ、インスタントメッセージングデバイス、デジタルカメラ、アクセスポイント、テレビジョン、医療デバイス（例えば、心拍モニタ、血圧モニタ等）、ウェアラブルデバイス、センサ、又は、情報を無線で受信及び／又は送信することができる他のデバイス等のポータブル無線通信デバイスの一部であり得る。いくつかの実施形態において、通信デバイス２００は、キーボード、ディスプレイ、不揮発性メモリポート、複数のアンテナ、グラフィックスプロセッサ、アプリケーションプロセッサ、スピーカ、及び他のモバイルデバイス要素のうちの１以上を含み得る。ディスプレイは、タッチスクリーンを含むＬＣＤスクリーンであり得る。
【００２０】
通信デバイス２００により使用される１以上のアンテナ２０１は、例えば、ダイポールアンテナ、モノポールアンテナ、パッチアンテナ、ループアンテナ、マイクロストリップアンテナ、又は、ＲＦ信号の伝送に適した他のタイプのアンテナを含む１以上の指向性アンテナ又は全方向性アンテナを含み得る。いくつかの実施形態において、２以上のアンテナではなく、複数の開口を有する１つのアンテナが使用され得る。これらの実施形態において、各開口は、別々のアンテナとみなされ得る。いくつかの複数入力複数出力（ＭＩＭＯ）の実施形態において、アンテナを効果的に分離して、受信局のアンテナの各々と送信局のアンテナの各々との間で生じ得る異なるチャネル特性及び空間ダイバーシチを利用することができる。いくつかのＭＩＭＯの実施形態において、アンテナは、波長の１／１０以上まで分離され得る。
【００２１】
通信デバイス２００が、複数の別個の機能要素を有するものとして図示されているが、これらの機能要素のうちの１以上の機能要素は、結合されてもよく、デジタル信号プロセッサ（ＤＳＰ）を含む処理要素等のソフトウェア構成型要素及び／又は他のハードウェア要素の組合せにより実装されてもよい。例えば、いくつかの要素は、１以上のマイクロプロセッサ、ＤＳＰ、特定用途向け集積回路（ＡＳＩＣ）、無線周波数集積回路（ＲＦＩＣ）、及び、様々なハードウェアと少なくとも本明細書に記載の機能を実行するためのロジック回路との組合せを含んでもよい。いくつかの実施形態において、機能要素は、１以上の処理要素上で実行される１以上のプロセスを指すこともある。
【００２２】
説明する実施形態は、ハードウェア、ファームウェア、及びソフトウェアのうちの１つ、又は、これらの組合せにより実装され得る。実施形態はまた、本明細書に記載の動作を実行するために少なくとも１つのプロセッサにより読み出されて実行され得る、コンピュータ読み取り可能な記憶媒体に記憶された命令として実装され得る。コンピュータ読み取り可能な記憶媒体は、マシン（例えば、コンピュータ）により読み取り可能な形式で情報を記憶する任意の非一時的なメカニズムを含み得る。例えば、コンピュータ読み取り可能な記憶媒体は、読み取り専用メモリ（ＲＯＭ）、ランダムアクセスメモリ（ＲＡＭ）、磁気ディスク記憶媒体、光記憶媒体、フラッシュメモリデバイス、並びに、他の記憶デバイス及び記憶媒体を含み得る。これらの実施形態において、１以上のプロセッサは、本明細書に記載の動作を実行するための命令とともに構成され得る。
【００２３】
いくつかの実施形態において、処理回路２０６は、ＯＦＤＭＡ通信技術に従って、マルチキャリア通信チャネルを介してＯＦＤＭ通信信号を受信するよう構成され得る。ＯＦＤＭ通信信号は、複数の直交サブキャリアを含み得る。いくつかのブロードバンドマルチキャリアの実施形態において、セルラデバイス２００は、ＷｉＭＡＸ（登録商標）通信ネットワーク、第３世代パートナーシッププロジェクト（３ＧＰＰ）ユニバーサル地上無線アクセスネットワーク（ＵＴＲＡＮ）、ロングタームエボリューション（ＬＴＥ）通信ネットワーク若しくはＬＴＥアドバンスト通信ネットワーク、第５世代（５Ｇ）ＬＴＥ通信ネットワーク、又は高速下りリンク／上りリンクアクセス（ＨＳＤＰＡ／ＨＳＵＰＡ）通信ネットワーク等のブロードバンド無線アクセス（ＢＷＡ）ネットワーク通信ネットワークの一部として動作することができるが、本発明の範囲は、この点において限定されるものではない。
【００２４】
上記で示したように、ＭＴＣデバイスの爆発的に増加する使用に起因して、ＵＥの省電力モード（ＰＳＭ）の使用を改善することが望ましいことであり得る。一実施形態において、ｅＮＢ又はネットワークの他の無線ネットワークコントローラは、特定のＵＥのＰＳＭ設定についての情報を取得し、例えば、ｅＮＢにより操作されるＲＲＣインアクティビティタイマ（inactivity  timer）の調整等の、ＰＳＭ設定に基づくアイドルモードへの特定のＵＥの解放や、ＰＳＭ設定インジケーションにおいて示されるアクティブ化時間（activation  time）に基づく他の無線リソース管理といった、特定のＵＥに関連するインテリジェントな決定を行うことができる。ＲＲＣインアクティビティタイマは、最後のＵＥアクティビティからＲＡＮネットワークにより決定された時間であり、ＵＥを、ＲＲＣ接続状態からＲＲＣアイドル状態に切り替えさせ得る。ＲＲＣインアクティビティタイマは、実装又は事業者に固有であり得、ｅＮＢがＵＥを解放する前に待機する時間であって、その時間の間にそのＵＥについてのデータトラフィックが検出されない場合に待機する時間を示し得る。ＬＴＥにおいて、ＲＲＣ接続モード及びＲＲＣアイドルモード等の２つの状態が存在し得る。ＵＭＴＳ（ＵＴＲＡＮ）において、ＲＲＣ接続状態は、セル専用チャネル（ＣＥＬＬ＿ＤＣＨ）状態、セルページングチャネル（ＣＥＬＬ＿ＰＣＨ）状態、ユニバーサル地上無線アクセスネットワーク（ＵＴＲＡＮ）登録エリア（ＵＲＡ）ページングチャネル（ＵＲＡ＿ＰＣＨ）状態、又は転送アクセスチャネル（ＣＥＬＬ＿ＦＡＣＨ）状態を含み得る。
【００２５】
ＵＭＴＳにおいて、移動しているＵＥは、データインアクティビティ（data  inactivity）に起因してアイドルモードに移される前に、相当な時間の間（例えば、３０分間）接続モードにおける複数の状態のうちの１つの状態にあり得る。ＵＥは、その後、アイドルモードからＰＳＭに移され得る。ＣＥＬＬ＿ＰＣＨ状態において、ＵＥは、データを転送していない接続モードにあり、ＵＥの位置はセルレベルで知られる。ＣＥＬＬ＿ＰＣＨ状態にあるＵＥが、セルを変えると、ＵＴＲＡＮにＵＥの新しい位置（すなわち、ＵＥが異なるセルに移動したこと）を知らせるために、アップデートがｅＮＢに送信される。接続モードにおいて、ＵＥの位置は、ＵＥがアイドル状態にあるときと同様に、ＵＴＲＡＮレベルではなくセルレベルで知られる。これは、静止しているＵＥ又はサービングセル若しくは近傍セルのサイズに対してゆっくり移動しているＵＥについては満足のいく程度に良好に機能するが、高速で移動しているＵＥの場合、シグナリングオーバーヘッド（セルアップデートメッセージの数）が劇的に増大し、ＵＥがＣＥＬＬ＿ＰＣＨ状態にあることの目的を無にさせてしまう。これを打開するために、複数のセルを組み合わせてＵＲＡを形成し、ＵＥをＵＲＡ＿ＰＣＨ状態に置くことができる。ＵＥがそのＵＲＡ位置を変え、且つ、ＵＥがページングされるときのページングエリアが、ＵＲＡに属するセルの全てに拡張されたときのみ、アップデートがｅＮＢに送信されることを除いて、ＵＲＡ＿ＰＣＨ状態は、ＣＥＬＬ＿ＰＣＨ状態に類似している。一実施形態において、オーバーラップするＵＲＡは、ＵＲＡ＿ＰＣＨ状態において使用されるように規定され得る。したがって、各セルは、他のより大きなＵＲＡだけでなく、別々のＵＲＡであり得る。１つのセル又はわずかな数のセルのみを含むＵＲＡが、ゆっくり移動しているＵＥのために割り当てられ、より大きなＵＲＡが、より速く移動しているＵＥのために割り当てられ得る。ＣＥＬＬ＿ＦＡＣＨ状態において、ＵＥの位置はセルレベルで知られ、専用物理チャネルはＵＥに割り当てられず、ＵＥは、下りリンクにおけるＦＡＣＨを継続的にモニタリングし得、ＵＥには、上りリンク（例えば、ＲＡＣＨ）におけるデフォルトの共通又は共用のトランスポートチャネルであって、そのトランスポートチャネルについてのアクセスプロシージャに応じて使用されるトランスポートチャネルが割り当てられ得る。
【００２６】
ＬＴＥについて接続モードにありＵＭＴＳについて上記の状態のうちのいずれかの状態にあるがデータを送信していないＵＥは、望まれない制御信号がＵＥとネットワークとの間で提供されることに起因して、エネルギー及びネットワークリソースを浪費し得る。ＵＥのＰＳＭ設定インジケーションが、ＵＴＲＡＮ／Ｅ−ＵＴＲＡＮと共有されれば、ＮＢ／ｅＮＢ（又は、他の無線ネットワークコントローラ）は、ＵＥのＲＲＣ接続を解放するかどうかについて、よりインテリジェントな決定を行うことができ、それによって、そうでなければＵＥがＰＳＭに入るであろうよりも早くＵＥがＰＳＭに入ることを可能にすることにより、ネットワークリソースを節約し、ＵＥのバッテリ寿命をより良く利用する能力をもたらすことができる。したがって、ＵＥが、（ＬＴＥについて）接続モードにあり、（ＵＭＴＳについて）ＣＥＬＬ＿ＰＣＨ状態、ＵＲＡ＿ＰＣＨ状態、又はＣＥＬＬ＿ＦＡＣＨ状態にあるときに、ＲＲＣ接続解放の送信のタイミングが、ＰＳＭ設定インジケーションにおけるアクティブタイマに基づいて、ｅＮＢにより調整され得、ＲＲＣ接続解放の送信についての調整された送信時間が設定され得る。
【００２７】
ＲＲＣアイドル状態に切り替わるときに、ＵＥとＲＡＮネットワークとの間のＲＲＣ接続が解放され得る。次いで、ＵＥは、ＰＳＭに入ることができる。一実施形態において、ＰＳＭネゴシエーション及びＰＳＭ設定は、非アクセス層（ＮＡＳ）メッセージを使用して、ＵＥとＭＭＥとの間で交換され得る。ＮＡＳは、ＵＥとＭＭＥとの間でｅＮＢを介して透過的に非無線シグナリングを伝達するために、すなわち、ｅＮＢとのインタラクションなく伝達するために、使用され得る。ＮＡＳプロトコルは、ＵＥが移動するときにＵＥとＰＤＮ  ＧＷとの間のＩＰ接続を確立及び維持するための、ＵＥモビリティ及びセッション管理プロシージャをサポートし得る。
【００２８】
一実施形態において、ＵＥから送信されるＰＳＭ設定インジケーションは、１ビット情報要素（「ＵＥ  ＰＳＭ設定」情報要素、「ＰＳＭアクティブ化ステータス」情報要素、又は「ＰＳＭサポート」情報要素と呼ばれる）であり得る。ＰＳＭ設定インジケーションは、ＵＥがＰＳＭに入るためのアクティブ化タイマを示すことができ、これは、結果として、ＵＥがＰＳＭを有することを示すことができる。ＰＳＭ設定インジケーションはまた、ＰＳＭの継続時間を示すことができる。したがって、例えば、ＰＳＭ設定インジケーションが、０のアクティブ化タイマを示す場合、これは、ＵＥがＰＳＭを有さないことを示すことができる。ＵＥ  ＰＳＭアクティブ化タイマは、ＭＭＥとＵＥとがネゴシエートした１−２オクテットＴ３３２４アクティブ化タイマであり得る。異なる条件が満たされたことに応じて、ＰＳＭアクティブ化リクエスト及び関連情報が、ＵＥからＭＭＥに提供され得る。例えば、以下でより詳細に説明するように、ＵＥが、ｅＮＢを介して最初にＭＭＥにアタッチするときに（ＭＭＥに登録されるときに）、例えば、ＵＥがＭＭＥ内に以前に登録した追跡エリアのリストにない追跡エリアにＵＥが入ったことを検出したことにより、ＵＥが追跡エリアアップデート（ＴＡＵ）をＭＭＥに送信するときに、あるいは、ＵＥが、１つのルーティングエリアから別のルーティングエリアへのルーティングエリア境界を超える際にルーティングエリアアップデートをＭＭＥに送信するときに、ＰＳＭアクティブ化リクエストが、ＵＥから提供され得る。
【００２９】
様々な実施形態において、ＰＳＭ設定インジケーションは、複数の異なる方法を用いて、ＵＥからネットワークに伝達され得る。これらの方法は、ＵＥから、ＭＭＥから、又は別のＲＡＮノードから、ｅＮＢにＰＳＭ設定インジケーションを提供することを含み得る。一実施形態において、ＰＳＭ設定インジケーションは、直接的なＲＲＣメッセージにおいて、ＵＥからｅＮＢに提供され得る。他の実施形態において、ＰＳＭ設定インジケーションは、ＵＥコンテキスト転送（context  transfer）、コアネットワーク支援情報（assistance  information）、又はＵＥ支援情報において、ＭＭＥからｅＮＢに提供され得、新しいメッセージにおいて、ＭＭＥからｅＮＢに提供され得、あるいは、（サービングｅＮＢから近傍ｅＮＢにＵＥをハンドオーバーする）ハンドオーバーコンテキスト転送において、提供され得る。
【００３０】
一実施形態において、特別なカテゴリのｅＮＢを使用して、ＵＥのＰＳＭの使用を支援することができる。特別なカテゴリのｅＮＢは、通常のｅＮＢと比べて本質的に機能を低減されたものであり得る専用ＭＴＣノード（とりわけ、低コストｅＮＢ、低コストＭＴＣ  ｅＮＢ、又はＭＴＣ  ｅＮＢとも呼ばれる）であり得る。専用ＭＴＣノードは、スマートフォン等の典型的なＵＥとは異なり、ＭＴＣ  ＵＥが、高（ＬＴＥ）データ速度又は帯域幅を望み得ないこと、を考慮に入れることができる。したがって、一実施形態において、特別なカテゴリのｅＮＢは、制限された範囲若しくは数のユーザ、又は一般的なｅＮＢよりも少ないコストを有し、より低いデータ速度又は帯域幅を提供し得る。一実施形態において、特別なカテゴリのｅＮＢは、一般的なｅＮＢと類似する方法で、ＲＡＮ及びコアネットワークに接続され得る。別の実施形態において、特別なカテゴリのｅＮＢは、制限された機能、データ速度、帯域幅、又は、特別なカテゴリのｅＮＢと類似する機能を提供する対応する専用コアネットワークエンティティ（例えば、特別な専用のＭＭＥ、Ｓ−ＧＷ、Ｐ−ＧＷ）に相互接続され得る。
【００３１】
いくつかの実施形態において、ｅＮＢによりＵＥがＲＲＣ接続モードのままである時間は、ＵＥが、アイドルモードに解放される前に拡張された時間期間の間ＲＲＣ接続モードにないように、変更され得る。ｅＮＢは、ＵＥについてのインアクティビティタイマを開始させ得る。上記のように、ＵＥを解放する前のインアクティビティ時間が追跡される方法は、ｅＮＢの実装に依存し得る。タイマが、ＵＥアクティブ化タイマにより示される時間を満了したとき又はＵＥアクティブ化タイマにより示される時間に達したとき、ＵＥコンテキスト解放リクエストが、ｅＮＢからＳ１インタフェースを介してＭＭＥに送信され得る。それに応じて、ＭＭＥは、Ｓ１１インタフェースを介してＳ−ＧＷに、開放アクセスベアラリクエストを送信することができる。Ｓ−ＧＷは、Ｓ１−Ｕベアラを解放し、開放アクセスベアラレスポンスをもってＭＭＥに応答することができる。次いで、ＭＭＥは、ＵＥコンテキスト解放コマンドをもってｅＮＢに応答することができる。ｅＮＢは、ＲＲＣ接続解放メッセージをＵＥに送信することができ、ＵＥから肯定応答（acknowledgement）を受信した後、ＵＥコンテキスト解放完了メッセージをＭＭＥに送信することができる。
【００３２】
ｅＮＢにおけるインアクティビティタイマは、一般的には、約１０秒であり得るが、特定のＵＥについてのインアクティビティタイマは、ＰＳＭ設定インジケーション及びトラフィック到達間時間（traffic  inter-arrival  time）（すなわち、ＵＥから／への２つの連続するパケット又は連続するパケットのバーストの到達と到達との間の時間差）を含むＵＥ特性に基づいて、動的に調整され得る。同じサービングｅＮＢにアタッチされる異なるＵＥは、異なるＰＳＭ設定インジケーションを、したがって、異なるインアクティビティタイマを有し得る。
【００３３】
図３は、いくつかの実施形態に従った、進化型ノードＢ（ｅＮＢ）とモビリティ管理エンティティ（ＭＭＥ）との間で提供されるＰＳＭ設定インジケーションを示している。一実施形態において、ＰＳＭ設定インジケーションは、ＭＭＥ３０４によりｅＮＢ３０２と共有されるＵＥコンテキストの一部として追加され得る。ＵＥが、アイドルモードからアクティブモードに移るときに常に、ＵＥは、（例えば、ＵＥが仕掛かり中のデータを有することにより、又は、ＵＥがｅＮＢからページングリクエストを受信したことにより）ＮＡＳサービスリクエストをＭＭＥ３０４に送信することができる。ＭＭＥ３０４は、初期ＵＥコンテキストセットアップリクエスト３０６を使用して、Ｓ１インタフェースを介して、ＵＥコンテキスト情報をｅＮＢ３０２に提供することができる。
【００３４】
今度は、初期ＵＥコンテキストセットアップリクエスト３０６は、ｅＮＢが、コンテキストを作成し、アクティブモードにおけるＵＥのアクティビティの継続時間の間ＵＥを管理することを可能にし得る。ＭＭＥ３０４は、ＭＭＥ３０４においてＵＥコンテキストを識別する一意な短い一時アイデンティティ（ＳＡＥ一時移動体加入者識別番号（Ｓ−ＴＭＳＩ：SAE  temporary  mobile  subscriber  identity））を、ＵＥに割り当てることができる。ＵＥコンテキストは、ＨＳＳからダウンロードされたユーザ加入情報と、確立されたベアラ及びＵＥ能力のリスト等の動的情報と、を有し得る。ｅＮＢ３０２は、全てのＵＥコンテキスト情報を記憶し、無線リソース割り当て及び接続管理のために、異なる設定を利用することができる。ｅＮＢ３０２は、ＰＳＭ設定インジケーションを含む初期ＵＥコンテキストセットアップリクエスト３０６に含まれる情報を記憶した後、ＵＥコンテキスト情報のアップデートの成功を示すメッセージ３０８を、ＭＭＥ３０４に送信することができる。
【００３５】
同様に、別の実施形態において、ＰＳＭ設定インジケーションは、ＵＥコンテキストがアップデートされたときに提供され得る。詳細には、（例えば、ＮＡＳアタッチリクエスト又はＮＡＳ  ＴＡＵリクエストを送信することにより）ＵＥコンテキストが変更されるべきであるとＵＥ又はＭＭＥ３０４が決定したときに常に、ＭＭＥ３０４は、ＵＥコンテキスト変更リクエスト３０６を使用して、Ｓ１インタフェースを介して、ＵＥコンテキスト情報のアップデートをｅＮＢ３０２に提供することができる。ＵＥコンテキスト変更リクエストは、初期ＵＥコンテキストセットアップリクエストと同様に、ｅＮＢ３０２により記憶される複数の情報要素を含み得る。ＵＥコンテキスト変更リクエストは、とりわけ、ＰＳＭ設定インジケーションを含むＰＳＭ設定要素（PSM  configuration  element）が追加され得るＵＥ集約最大ビットレート情報要素（UE  Aggregate  Maximum  Bit  Rate  information  element）及びセキュリティキー情報要素を含み得る。
【００３６】
ｅＮＢ３０２は、ＵＥコンテキスト変更リクエストに含まれるＰＳＭ設定インジケーションを記憶した後、ＵＥコンテキスト情報のアップデートの成功を示すメッセージ３０８を、ＭＭＥ３０４に送信することができる。詳細には、ｅＮＢ３０２は、ＵＥコンテキスト変更レスポンスをＭＭＥ３０４に送信することができる。ＭＭＥ３０４とｅＮＢ３０２との間で共有されるＵＥコンテキストの一部としてＰＳＭ設定インジケーションを追加することにより、既存のＵＥコンテキストプロシージャの変更を回避することができる。
【００３７】
図４は、いくつかの実施形態に従った、ｅＮＢとＭＭＥとの間で提供されるＰＳＭ設定インジケーションを示している。そのような一実施形態において、既存のＵＥコンテキストメッセージ（例えば、上記のような、図３に示される初期ＵＥコンテキストセットアップリクエスト又はＵＥコンテキスト変更リクエスト）内の情報要素としてＰＳＭ設定が提供されるのではなく、ＰＳＭ設定は、コアネットワーク支援情報Ｓ１メッセージ４０６内の新しい情報要素として、ＭＭＥ４０４からｅＮＢ４０２に提供され得る。コアネットワーク支援情報メッセージは、ｅＮＢ４０２又はコアネットワークコンポーネントが、ＵＥについての効率的なＲＲＭ関連の決定を行うことを支援し得る。詳細には、ＵＥとＭＭＥ４０４との間で提供されるＰＳＭ設定情報は、ＭＭＥ４０４からｅＮＢ４０２にコアネットワーク支援情報Ｓ１メッセージ４０６に含められて提供されるＵＥ能力の一部として追加され得る。ＰＳＭ設定インジケーションは、ＨＳＳにおいて保持される、ＵＥの加入情報の一部として、トラフィックパターンパラメータに含められ得る。トラフィックパターンパラメータは、いくらか静的なものであり、例えば履歴情報により決定される、ＵＥの予期されるトラフィックを提供し得、ｅＮＢ間の負荷平衡のために又は他の統計情報のために、ネットワークにより使用され得る。いくつかの実施形態において、３ＧＰＰ  ＴＳ２３．４０１において示されるコアネットワーク（ＣＮ）支援情報に含められて送信される異なるパラメータが使用され得る。ＰＳＭ設定インジケーションを含むパラメータは、３ＧＰＰリリース１２においてまだ規定されていない新しいパラメータであり得る。
【００３８】
ｅＮＢ４０２は、コアネットワーク支援情報Ｓ１メッセージ４０６に含まれるＰＳＭ設定インジケーションを記憶した後、コアネットワーク支援情報Ｓ１メッセージ４０６の受信の成功を示すメッセージ４０８を、ＭＭＥ４０４に送信することができる。詳細には、ｅＮＢ４０２は、コアネットワーク支援情報Ｓ１メッセージ４０６の受信の肯定応答（ＡＣＫ）４０８を、ＭＭＥ４０４に送信することができる。
【００３９】
代替的に、ＰＳＭ設定インジケーションは、完全に新しい別個の専用メッセージ４０６に含められて、ＭＭＥ４０４からｅＮＢ４０２に提供されてもよい。一実施形態において、ｅＮＢ４０２は、ＡＣＫメッセージ４０８において、ＰＳＭ設定インジケーションを含む専用メッセージに対する肯定応答を、ＭＭＥ４０４に返すことができる。代替的に、ＰＳＭ設定インジケーションを含む専用メッセージの受信は、ＭＭＥ４０４に対して肯定応答されないままでもよい。別個の専用メッセージを使用することにより、ＵＥをＰＳＭに移すためのアクティブ化タイマをＵＥが変更したときに常に、インアクティビティタイマのタイマ情報が、アクティブ化タイマを反映するためにアップデートされ得る。これは、以前の３ＧＰＰリリースとの後方互換を可能にする。
【００４０】
図５は、いくつかの実施形態に従った、ＵＥとｅＮＢとの間で提供されるＰＳＭ設定インジケーションを示している。図５に示される実施形態において、ＰＳＭ設定インジケーションは、現在使用されているＲＲＣメッセージ５０６に含められて、ＵＥ５０２からｅＮＢ５０４に提供され得る。別の実施形態において、ＰＳＭ設定インジケーションは、完全に新しいＲＲＣメッセージ５０６に含められて、ＵＥ５０２からｅＮＢ５０４に提供され得る。例えば、「ＵＥ支援情報」メッセージ、「ＲＲＣ接続セットアップ完了」メッセージ、又は「ＲＲＣ接続再構成完了」メッセージ等のＲＲＣメッセージが、ＰＳＭ設定インジケーションを提供する情報要素を含み得る。
【００４１】
図４の実施形態と同様に、ｅＮＢ５０４は、ＡＣＫメッセージ５０８において、ＰＳＭ設定インジケーションを含むＲＲＣメッセージに対する肯定応答を、ＵＥに返すことができる。代替的に、ＰＳＭ設定インジケーションを含む専用メッセージの受信は、ＵＥ５０２に対して肯定応答されないままでもよい。ｅＮＢ５０４からＵＥ５０２に肯定応答が提供されることに加えて又はｅＮＢ５０４からＵＥ５０２に肯定応答が提供されることに代えて、肯定応答はまた、ｅＮＢ５０４からＭＭＥ（又はＲＡＮ）（図５には示されていない）に提供されてもよい。肯定応答は、ＰＳＭ設定インジケーションを受信したことに応じて、ｅＮＢ５０４からＭＭＥに自動的に提供され得る。代替的に、肯定応答は、ＭＭＥからのリクエストに基づいて、ｅＮＢ５０４からＭＭＥに自動的に提供されてもよい。この場合、ｅＮＢ５０４はまた、ＲＡＮの代わりに、アクティブ化タイマについてネゴシエートし得るか、あるいは、ＭＭＥがアクティブ化タイマについてＵＥと再ネゴシエートすることを許可し得る。
【００４２】
別の実施形態において、ｅＮＢは、インアクティビティタイマを調整する前に、ＵＥに対してＰＳＭアップデートを明示的にリクエストすることができる。詳細には、ｅＮＢは、ＵＥに対してＰＳＭ設定インジケーションをリクエストすることができる、あるいは、ＰＳＭ設定インジケーションをＭＭＥに送信するようにＵＥに指示することができる。ｅＮＢは、ＭＭＥがＵＥのＰＳＭをサポートできることをＭＭＥがｅＮＢに示したことに応じて、このリクエストをＵＥに送信することができる。この場合、ｅＮＢがＰＳＭをサポートできない又はサポートするつもりがないときには、ｅＮＢとＵＥとＭＭＥとの間の余計なシグナリングを回避することができる。なぜならば、ＰＳＭ設定インジケーションは、ＰＳＭに関連付けられているｅＮＢだけに提供され得るからである。同様に、ＰＳＭ設定が、ＵＥコンテキスト転送を介して提供される実施形態、新しい情報要素が、コアネットワーク支援情報メッセージに含められて提供される実施形態、又は、新しい情報要素が、ＭＭＥとｅＮＢとの間の完全に別個のＳ１メッセージに含められて提供される実施形態において、ＭＭＥがＰＳＭ設定をｅＮＢに自動的に提供するのではなく、ｅＮＢが、最初に、ＭＭＥに対してＰＳＭ設定をリクエストし得る。
【００４３】
さらなる実施形態において、ＰＳＭ設定インジケーションの配信は、ＵＥを現在サーブしているｅＮＢだけに限定されるわけではない。ＰＳＭ設定インジケーションは、さらに、現在のサービングｅＮＢ（ソースｅＮＢ）から近傍ｅＮＢ（ターゲットｅＮＢ）に提供され得る。一実施形態において、ＰＳＭ設定インジケーションは、ソースｅＮＢからターゲットｅＮＢへのＵＥのハンドオーバー中に、ソースｅＮＢからターゲットｅＮＢに転送され得る。詳細には、ＰＳＭ設定インジケーションは、ハンドオーバーを開始するための、ソースｅＮＢからターゲットｅＮＢへのハンドオーバーリクエストメッセージに含められて提供され得る。別の実施形態において、ＰＳＭ設定インジケーションは、ハンドオーバーメッセージに含められて自動的に提供されるわけではない。この場合、代わりに、ターゲットｅＮＢは、ソースｅＮＢがＰＳＭ設定インジケーションをターゲットｅＮＢに提供する前に、ソースｅＮＢに対してこの情報を明示的にリクエストし得る。上記のように、ターゲットｅＮＢは、ソースｅＮＢの代わりに、ＭＭＥ及び／又はＵＥに対してこの情報をリクエストすることもある。他の実施形態において、例えば、ＵＥが近傍セルに向かってサービングセル内を比較的速く移動しており、ハンドオーバープロシージャの開始の可能性が高い状況では、ＰＳＭ設定インジケーションは、ハンドオーバープロシージャが開始される前に提供され得る。
【００４４】
図３〜図５に示されるｅＮＢは、図１のｅＮＢ１０４のうちの１つのｅＮＢのための使用に適したものであり得る。同様に、図３〜図５に示されるＭＭＥは、図１のＭＭＥのための使用に適したものであり得る。
【００４５】
図６は、いくつかの実施形態に従った、ｅＮＢが、ＵＥのＰＳＭ設定インジケーションを取得する方法のフローチャートを示している。方法６００は、動作６０２において、最初に、ＰＳＭ設定インジケーションを求める要求が、ｅＮＢにより、ｅＮＢに対するＰＳＭ設定インジケーションのソース（ＰＳＭ設定ソースとも呼ばれる）に提供されるべきであるかどうかをｅＮＢが決定することを含み得る。ＵＥが、ＰＳＭ設定インジケーションを最初にＲＡＮネットワークに提供し得るが、上記で示したように、ｅＮＢに対するＰＳＭ設定インジケーションのソースは、ＵＥとは異なるエンティティであり得る。様々な実施形態において、ＰＳＭ設定インジケーションのソースは、ＭＭＥ、ＵＥ、別のｅＮＢ（ハンドオフの場合）、又は別のＲＡＮノードであり得る。いくつかの実施形態において、ＵＥは、ＮＡＳメッセージを用いて、ＰＳＭ設定インジケーションを最初にコアネットワークソース（ＭＭＥ等）に提供し得る。したがって、ＰＳＭ設定インジケーションを含むメッセージがｅＮＢを通過したとしても、ｅＮＢは、初期にはＵＥのＰＳＭ設定を認識し得ない。ＰＳＭ設定インジケーションを求めるリクエストが送信されるべきであるというｅＮＢによる決定は、一実施形態において、ＰＳＭ設定インジケーションを受信することなく、ｅＮＢがＵＥからＲＲＣ接続リクエストを受信したことから生じ得る。別の実施形態において、ｅＮＢは、ＭＭＥからＰＳＭ設定インジケーションを受信することなく、ｅＮＢがＭＭＥからＵＥについての接続変更情報又はアタッチメント情報を受信したことから、リクエストがｅＮＢから送信されるべきであることを決定することができる。
【００４６】
ＰＳＭ設定インジケーションを求めるリクエストがＰＭＳ設定ソースに提供されるべきであるとｅＮＢが決定した場合、動作６０４において、ｅＮＢは、ＰＳＭ設定をｅＮＢに提供するよう、リクエストをソースに送信することができる。様々な実施形態において、ｅＮＢは、ＭＭＥ、ＵＥ、ＵＥがハンドオフされている元である別のｅＮＢ又は別のエンティティに、このリクエストを自動的に送信することができる。ｅＮＢは、このリクエストがなされるべき対象のエンティティをメモリに保持する又はこのリクエストがなされるべき対象のエンティティを優先順位付けすることができる。例えば、ｅＮＢは、最初は、ＭＭＥに対してＰＳＭ設定インジケーションをリクエストし、リクエストを満たすことができないとＭＭＥが示した場合には、次いで、ＵＥに対してＰＳＭ設定インジケーションをリクエストすることができる。
【００４７】
動作６０６において、ｅＮＢは、ｅＮＢによるリクエストに応じて、又は、ＰＳＭ設定インジケーションを求めるリクエストがｅＮＢによりＰＳＭ設定ソースに提供されない場合には自動的に、ＰＳＭ設定インジケーションのソースから、ＰＳＭ設定インジケーションを受信する。一実施形態において、ＰＳＭ設定インジケーションは、初期ＵＥコンテキストセットアップリクエスト又はＵＥコンテキスト変更リクエストの１以上の情報ビットに含められて、ＭＭＥによりｅＮＢに提供され得る。初期ＵＥコンテキストセットアップリクエストは、ＵＥがアタッチリクエストをｅＮＢに送信しアタッチリクエストがＭＭＥに転送されたことに応じて、ＭＭＥからｅＮＢに送信され得る。同様に、ＵＥコンテキスト変更リクエストは、ＲＡＮ又はコアネットワークによりパケットデータプロトコルコンテキストに対する変更がなされたことに応じて、又は、ＵＥがベアラリソース割り当てリクエスト又はベアラリソース変更リクエストをｅＮＢに送信したことに応じて、ＭＭＥからｅＮＢに送信され得る。別の実施形態において、ＰＳＭ設定インジケーションは、コアネットワーク支援情報メッセージに含められて、ＭＭＥにより提供され得る。別の実施形態において、ＰＳＭ設定インジケーションは、別個の専用メッセージに含められて、ＭＭＥにより提供され得る。この別個の専用メッセージは、例えば、初期ＵＥコンテキストセットアップリクエスト又はＵＥコンテキスト変更リクエストの直後に送信される、あるいは、ｅＮＢがＰＳＭ設定インジケーションをリクエストしたことに応じて送信される。異なる実施形態において、ＰＳＭ設定は、ＭＭＥによってではなく、ＵＥによって、ＲＲＣメッセージに含められて提供され得る。
【００４８】
動作６０８において、ｅＮＢは、ＰＳＭ設定インジケーションが受信されたことを示すＡＣＫを、ＰＳＭ設定ソースに送信するかどうかを決定する。いくつかの実施形態において、ＰＳＭ設定インジケーションのソースは、ｅＮＢに送信されたいかなるメッセージにも応答するＡＣＫ又はＮＡＣＫをリクエストし得る。いくつかの実施形態において、ＰＳＭ設定インジケーションのソースは、特にＰＳＭ設定インジケーションを含む所定のメッセージの送信について、ＡＣＫ又はＮＡＣＫをリクエストし得る。
【００４９】
ＰＳＭ設定ソースへの肯定応答の送信が必要とされているとｅＮＢが判定した場合、動作６１０において、ｅＮＢは、ＰＳＭ設定インジケーションが受信されたことを示すＡＣＫ（又はＮＡＣＫ）を、ＰＳＭ設定ソースに送信することができる。例えば、ＰＳＭ設定インジケーションがｅＮＢによりリクエストされた後の予め定められた期間内に、又は、ＰＳＭ設定インジケーションのソースからのＰＳＭ設定インジケーションの、ｅＮＢにより予期される自動送信の後の予め定められた期間内に、ＰＳＭ設定インジケーションがｅＮＢにより受信されなかった場合（又は部分的に受信された場合）、ＮＡＣＫが、ｅＮＢからＰＳＭ設定インジケーションのソースに送信され得る。
【００５０】
ＰＳＭ設定インジケーションが受信されたことを示す肯定応答をｅＮＢがＰＳＭ設定ソースに送信したか否かにかかわらず、動作６１２において、ｅＮＢは、受信したＰＳＭ設定インジケーションのアクティブ化タイマに基づいて、上述したもの等のインアクティビティタイマを調整することができる。インアクティビティタイマは、最後のＵＥアクティビティが生じた後にＵＥ  ＲＲＣ接続を解放する時間を判定するために、ｅＮＢにより使用され得る。一実施形態において、ＵＥは、最初に、アクティブ化タイマを記憶し、初期ＵＥコンテキストセットアップリクエストにおいてＲＡＮネットワークにアタッチするときに、ＰＳＭ設定インジケーション内にアクティブ化タイマを提供することができる。様々な実施形態において、ＭＭＥは、このアクティブ化タイマを受け入れ得る、あるいは、アクティブ化タイマの変更についてＵＥとネゴシエートし得る。いくつかの実施形態において、ＭＭＥは、例えば、ネットワーク上のトラフィックが、全体として過度である、又はＵＥがアタッチされている若しくはアタッチされるｅＮＢにおいて過度であるために、アクティブ化タイマが増大されるべきであると決定することができる。ＭＭＥは、この実施形態において、アクティブ化タイマを調整するＮＡＳメッセージを、ＵＥに送信することができる。ＭＭＥは、絶対的な期間（例えば、２０分間）、又は、既存のアクティブ化タイマに対する相対的な期間（例えば、＋１０分間）を用いて、新しいアクティブ化タイマを示すことができる。これに応じて、ＵＥは、調整されたアクティブ化タイマを受け入れるＮＡＳメッセージを、ＭＭＥに送信することができる、あるいは、アクティブ化タイマを調整することを求めるさらなるリクエストを含む別のＮＡＳメッセージを送信することができる。これらのネゴシエーションは、ＵＥ及びＭＭＥの両方に受け入れ可能なアクティブ化タイマが得られ得るまで、ＵＥとＭＭＥとの間で続き得る。アクティブ化タイマが決定されると、ＰＳＭ設定インジケーションがｅＮＢに提供され得る。
【００５１】
ＵＥがＰＳＭに入るために使用されるアクティブ化タイマに加えて、ＵＥ及びＭＭＥは、ＰＳＭの継続時間についてネゴシエートすることができる。一実施形態において、ＵＥ及びＭＭＥは、ネットワークのＴＡＵタイマにより設定されるデフォルトの時間期間である５４分間を最大とする継続時間についてネゴシエートし得るが、他の継続時間も適切であり得る。したがって、この実施形態において、ＵＥは、データを提供するためにＰＳＭから抜けて、ネットワークがＵＥの位置を判定することを可能にし得る。
【００５２】
いくつかの実施形態において、アタッチメント中にアクティブ化タイマ及び継続時間についてネゴシエートすることに加えて、ＵＥ及びＭＭＥは、ＵＥについて接続変更が実行されるたびに、アクティブ化タイマについてネゴシエートすることもできる。したがって、アクティブ化タイマ及び継続時間は、例えば、ネットワークにおける変化するトラフィック状態に基づいて、ＵＥ又はＭＭＥのいずれかにより適宜変更され得る。ＭＭＥに関連付けられているｅＮＢに接続されている（又は接続される）各ＵＥは、ＭＭＥと独立にネゴシエートすることができる。
【００５３】
動作６１４において、ｅＮＢは、ＵＥを解放する条件が満たされたかどうかを判定することができる。ｅＮＢは、ＵＥのＲＲＣ接続を解放するかどうかを決定するための異なるファクタを考慮に入れることができる。これらのファクタは、とりわけ、ＰＳＭ設定インジケーションのＰＳＭ設定が満たされたかどうか、ＵＥが非アクティブであった時間の長さ、及びネットワーク負荷を含み得る。ＵＭＴＳシステムに関して、これらの条件は、例えば、ＵＥが、接続モードにあり、且つ、ＣＥＬＬ＿ＰＣＨ状態、ＵＲＡ＿ＰＣＨ状態、又はＣＥＬＬ＿ＦＡＣＨ状態にあり、且つ、ｅＮＢのインアクティビティタイマにより決定される開放時間及びＰＳＭ設定インジケーションにより示されるアクティブ化タイマに達した、ということを含み得る。ｅＮＢは、ｅＮＢに接続されているＵＥごとに独立したタイマを有することができる。
【００５４】
ＵＥ  ＰＳＭ条件が満たされると、動作６１６において、ｅＮＢは、ＲＲＣ接続解放をＵＥに送信することができる。これは、ＵＥが、アイドル状態及びＰＳＭモードに入ることを可能にし得る。その後、ＰＳＭ継続時間に達すると、ＵＥは、ＰＳＭから抜けて、位置及び他の情報を使用してネットワークをアップデートすることができる。
【００５５】
上述したように、ｅＮＢへのＰＳＭ設定の転送は、ＬＴＥプロシージャ及びＵＭＴＳプロシージャに適用され得、ここでは、ＵＭＴＳシステムのＮＢが、上述したｅＮＢの代わりに使用される。
【００５６】
ここで説明している方法、システム、及びデバイスの実施形態のさらなる例は、以下の非限定的な構成を含む。以下の非限定的な例の各々は、独立したものであることもあるし、以下に提供される他の例又は本開示全体を通して提供される他の例のうちの１以上との任意の置換又は組合せにより組み合わされることもある。
【００５７】
例１は、ＵＥと通信するよう構成されているトランシーバと、処理回路と、を備えたｅＮＢを含む。前記処理回路は、前記ＵＥの省電力モード（ＰＳＭ）設定インジケーションであって、前記ＵＥのＰＳＭ設定を含むＰＳＭ設定インジケーションを受信するように前記トランシーバを構成し、前記の受信されたＰＳＭ設定インジケーションに基づいて、前記ＵＥが接続モードにあるときに前記ＵＥの無線リソース制御（ＲＲＣ）接続の解放のタイミングを調整して、調整された送信時間を設定し、前記の受信されたＰＳＭ設定インジケーションに基づく調整された送信時間に、ＲＲＣ接続解放メッセージを前記ＵＥに送信するように前記トランシーバを構成するよう構成されている。
【００５８】
例２において、例１の主題は、任意的に、次のことを含んでもよい：前記処理回路は、前記ＰＳＭ設定インジケーションに基づいて、前記ｅＮＢのインアクティビティタイマを調整し、前記インアクティビティタイマが、前記ＰＳＭ設定インジケーションにより示される予め定められた時間に達すると、前記ｅＮＢとモビリティ管理エンティティ（ＭＭＥ）との間で前記ＵＥに関連するＳ１コンテキストを解放するためのＵＥコンテキスト解放リクエストを、前記ＭＭＥに送信するように前記トランシーバを構成するよう構成されていること。
【００５９】
例３において、例１〜２のうちの１つ又は任意の組合せの主題は、任意的に、次のことを含んでもよい：前記ＰＳＭ設定インジケーションは、前記ＰＳＭ設定インジケーションが、前記ＵＥの前記ＰＳＭに関連付けられていることと、前記ＵＥとモビリティ管理エンティティ（ＭＭＥ）との間でネゴシエートされるＴ３３２４タイマに関連付けられているアクティブ化タイマと、を示す１ビット情報要素を含むこと。
【００６０】
例４において、例１〜３のうちの１つ又は任意の組合せの主題は、任意的に、次のことを含んでもよい：前記処理回路は、前記ＵＥから前記ＰＳＭ設定インジケーションを受信するように前記トランシーバを構成するよう構成されていること。
【００６１】
例５において、例１〜４のうちの１つ又は任意の組合せの主題は、任意的に、次のことを含んでもよい：前記処理回路は、モビリティ管理エンティティ（ＭＭＥ）から前記ＰＳＭ設定インジケーションを受信するように前記トランシーバを構成するよう構成されていること。
【００６２】
例６において、例５の主題は、任意的に、次のことを含んでもよい：前記処理回路は、前記ＭＭＥから、初期ＵＥコンテキストセットアップリクエスト及びＵＥコンテキスト変更リクエストのうちの１つに含まれる前記ＰＳＭ設定インジケーションを受信するように前記トランシーバを構成するよう構成されていること。
【００６３】
例７において、次のことを含む例６の主題を含んでもよいし、任意的に、次のことを含む例６の主題と組み合されてもよい：前記初期ＵＥコンテキストセットアップリクエスト又は前記ＵＥコンテキスト変更リクエストは、前記ＭＭＥが、非アクセス層（ＮＡＳ）サービスリクエスト、ＮＡＳ拡張サービスリクエスト、ＮＡＳアタッチリクエスト、及びＮＡＳ追跡エリアアップデート（ＴＡＵ）リクエストのうちの少なくとも１つを受信したことにより、前記ＭＭＥにおいてトリガされること。
【００６４】
例８において、例５の主題は、任意的に、次のことを含んでもよい：前記処理回路は、前記ＭＭＥから、コアネットワーク支援情報の予め定められたパラメータに含まれる前記ＰＳＭ設定インジケーションを受信するように前記トランシーバを構成するよう構成されていること。
【００６５】
例９において、例５の主題は、任意的に、次のことを含んでもよい：前記処理回路は、前記ＭＭＥから、前記ｅＮＢに前記ＰＳＭ設定インジケーションを提供するのに専用である別個のメッセージを受信するように前記トランシーバを構成するよう構成されていること。
【００６６】
例１０において、例５の主題は、任意的に、次のことを含んでもよい：前記トランシーバが、前記ＭＭＥから、前記ＵＥの前記ＰＳＭ設定インジケーションを受信する前に、前記処理回路は、前記ＵＥがＰＳＭ設定インジケーションを有するかどうかを前記ｅＮＢに送信するように前記ＭＭＥに指示するよう構成されているメッセージを、前記ＭＭＥに送信するように前記トランシーバを構成するよう構成されていること。
【００６７】
例１１において、例１〜５のうちの１つ又は任意の組合せの主題は、任意的に、次のことを含んでもよい：前記処理回路は、別のｅＮＢへの前記ＵＥのハンドオーバー中に、前記ＰＳＭ設定インジケーションに関連付けられているＰＳＭ設定インジケーションを、前記別のｅＮＢに送信するように前記トランシーバを構成するよう構成されていること。
【００６８】
例１２において、例１１の主題は、任意的に、次のことを含んでもよい：前記処理回路は、前記別のｅＮＢから前記ＰＳＭ設定インジケーションを求めるリクエストを受信したことに応じて、前記ＰＳＭ設定インジケーションを前記別のｅＮＢに送信するように前記トランシーバを構成するよう構成されていること。
【００６９】
例１３において、例１１の主題は、任意的に、次のことを含んでもよい：前記処理回路は、前記ＵＥが接続モードにあるときに前記ＵＥの前記ＲＲＣ接続の解放のタイミングを調整するよう構成されていること。
【００７０】
例１４において、例１〜１３のうちの１つ又は任意の組合せの主題は、任意的に、次のことを含んでもよい：前記トランシーバと前記ＵＥとの間で通信を伝送するよう構成されているアンテナを備えたこと。
【００７１】
例１５は、ＵＥであって、進化型ノードＢ（ｅＮＢ）と通信するよう構成されているトランシーバと、処理回路であって、省電力モード（ＰＳＭ）設定を含むＰＳＭ設定インジケーションを送信するように前記トランシーバを構成し、前記ＵＥが接続モードにあるときに、前記の送信されたＰＳＭ設定インジケーションに基づく時間に、前記ｅＮＢから無線リソース制御（ＲＲＣ）接続解放メッセージを受信するように前記トランシーバを構成するよう構成されている処理回路と、を備えたＵＥを含む。
【００７２】
例１６において、例１１の主題は、任意的に、次のことを含んでもよい：前記ＰＳＭ設定インジケーションは、前記ＰＳＭ設定インジケーションが、前記ＵＥの前記ＰＳＭに関連付けられていることと、前記ＵＥとモビリティ管理エンティティ（ＭＭＥ）との間でネゴシエートされるＴ３３２４タイマに関連付けられているアクティブ化タイマと、を示す１ビット情報要素を含むこと。
【００７３】
例１７において、例１５〜１６のうちの１つ又は任意の組合せの主題は、任意的に、次のことを含んでもよい：前記処理回路は、前記ｅＮＢ及びモビリティ管理エンティティ（ＭＭＥ）のうちの１つに、前記ＰＳＭ設定インジケーションを送信するように前記トランシーバを構成するよう構成されていること。
【００７４】
例１８は、ＵＥにおける電力消費を低減させる方法であって、前記ＵＥ及びモビリティ管理エンティティ（ＭＭＥ）のうちの１つから、前記ＵＥの省電力モード（ＰＳＭ）設定インジケーションであって、ＰＳＭ設定を含むＰＳＭ設定インジケーションを受信するステップと、前記ＵＥが接続モードにあるかどうかを判定するステップと、前記ＵＥが接続モードにあると判定したことに応じて、無線リソース制御（ＲＲＣ）接続解放メッセージを、前記の受信されたＰＳＭ設定インジケーションに基づく、前記ＲＲＣ接続解放メッセージの送信のタイミングで、進化型ノードＢ（ｅＮＢ）から前記ＵＥに送信するステップと、を含む方法を含む。
【００７５】
例１９において、例１８の主題は、任意的に、次のことを含んでもよい：ＰＳＭ設定インジケーションを受信する前記ステップは、前記ＭＭＥから、初期ＵＥコンテキストセットアップリクエストと、ＵＥコンテキスト変更リクエストと、コアネットワーク支援情報のパラメータと、前記ｅＮＢに前記ＰＳＭ設定インジケーションを提供するのに専用であるメッセージと、のうちの１つに含まれる前記ＰＳＭ設定インジケーションを受信するステップを含むこと。
【００７６】
例２０において、例１８〜１９のうちの１つ又は任意の組合せの主題は、任意的に、次のことを含んでもよい：前記ＵＥがＰＳＭ設定インジケーションを有するかどうかを前記ｅＮＢに送信するように前記ＭＭＥに指示するよう構成されているメッセージを、前記ＭＭＥに送信するステップであって、該ＰＳＭ設定インジケーションは、前記メッセージに応じて前記ＭＭＥから受信される、ステップ。
【００７７】
例２１において、例１８〜２０のうちの１つ又は任意の組合せの主題は、任意的に、次のことを含んでもよい：前記ＵＥから、前記ＭＭＥにおいて前記ＰＳＭ設定インジケーションを受信するステップ、及び、前記ＭＭＥから前記ｅＮＢに前記ＰＳＭ設定インジケーションを送信するステップ。
【００７８】
例２２において、例１８〜２１のうちの１つ又は任意の組合せの主題は、任意的に、次のことを含んでもよい：前記ＰＳＭ設定インジケーションに応じるよう構成されているインアクティビティタイマが満了すると、前記ｅＮＢから前記ＭＭＥに、前記ｅＮＢと前記ＭＭＥとの間で前記ＵＥに関連するＳ１コンテキストを解放するためのＵＥコンテキスト解放リクエストを送信するステップ、及び、前記ＵＥコンテキスト解放リクエストを受信したことに応じて、前記Ｓ１コンテキストを解放するステップ。
【００７９】
例２３において、例１８〜２２のうちの１つ又は任意の組合せの主題は、任意的に、次のことを含んでもよい：別のｅＮＢへの前記ＵＥのハンドオーバー中に、前記ＰＳＭ設定インジケーションを前記別のｅＮＢに送信するステップ。
【００８０】
例２４において、例２３の主題は、任意的に、次のことを含んでもよい：前記別のｅＮＢから前記ＰＳＭ設定インジケーションを求めるリクエストを受信したことに応じて、前記ＰＳＭ設定インジケーションを前記別のｅＮＢに送信するステップ。
【００８１】
例２５は、命令を記憶している非一時的なコンピュータ読み取り可能な記憶媒体を含む。前記命令が、トランシーバを介してユーザ機器（ＵＥ）と通信するようにネットワークエンティティを構成するための進化型ノードＢ（ｅＮＢ）の１以上のプロセッサにより実行されると、前記１以上のプロセッサは、モビリティ管理エンティティ（ＭＭＥ）から、前記ＵＥの省電力モード（ＰＳＭ）設定インジケーションを受信する動作であって、前記ＰＳＭ設定インジケーションは、ＰＳＭ設定を含み、前記ＰＳＭ設定インジケーションは、初期ＵＥコンテキストセットアップリクエストと、ＵＥコンテキスト変更リクエストと、コアネットワーク支援情報のパターンパラメータと、前記ｅＮＢに前記ＰＳＭ設定インジケーションを提供するのに専用であるメッセージと、のうちの１つに含まれる、動作と、前記ＵＥが接続モードにあるかどうかを判定する動作と、前記ＵＥが接続モードにあると判定したことに応じて、無線リソース制御（ＲＲＣ）接続解放メッセージを、前記の受信されたＰＳＭ設定インジケーションに基づく、前記ＲＲＣ接続解放メッセージの送信のタイミングで、進化型ノードＢ（ｅＮＢ）から前記ＵＥに送信する動作と、を行うように前記ｅＮＢを構成する。
【００８２】
例２６において、例２５の主題は、任意的に、次のことを含んでもよい：前記１以上のプロセッサは、さらに、前記ＵＥがＰＳＭ設定インジケーションを有するかどうかを前記ｅＮＢに送信するように前記ＭＭＥに指示するよう構成されているメッセージを、前記ＭＭＥに送信する動作であって、該ＰＳＭ設定インジケーションは、前記メッセージに応じて前記ＭＭＥから受信される、動作と、別のｅＮＢへの前記ＵＥのハンドオーバー中に、前記ＰＳＭ設定インジケーションを前記別のｅＮＢに送信する動作と、のうちの少なくとも１つを行うように前記ｅＮＢを構成すること。
【００８３】
特定の例示的な実施形態を参照して、実施形態を説明したが、本開示のより広い主旨及び範囲から逸脱することなく、それらの実施形態に対する様々な変更及び変形が可能であることが明らかであろう。したがって、本明細書及び図面は、限定ではなく例示と考えられるべきである。本明細書の一部を形成する添付の図面は、限定ではなく例として、本主題を実施することができる特定の実施形態を示している。例示した実施形態は、当業者が本明細書で開示した教示を実施できるよう十分詳細に記載されている。他の実施形態も、例示した実施形態から利用及び導出することができ、本開示の範囲から逸脱することなく構造的な代替及び変更並びに論理的な代替及び変更が可能である。したがって、上記の詳細な説明は、限定的に解釈されるべきではなく、様々な実施形態の範囲は、請求項及びそのような請求項のあらゆる均等の構成のみにより定められる。
【００８４】
創造的な本主題のそのような実施形態は、本明細書において、単に便宜上、個別的及び／又は集合的に用語「発明」により称されることがあるが、２以上の発明が実際に開示されている場合、本出願の範囲をいずれか１つの発明又は創造的な発想に自発的に限定することを意図するものではない。したがって、特定の実施形態が、図示され本明細書で説明されているが、同じ目的を達成するために算出される任意の構成が、示されている特定の実施形態に代わりに使用されてもよいことを理解されたい。本開示は、様々な実施形態のありとあらゆる適応形態又は変形形態を網羅することを意図している。上記説明を検討すれば、上記実施形態及び本明細書で具体的には説明されていない他の実施形態の組合せが、当業者には明らかであろう。
【００８５】
本文書において、特許文書ではありふれている「a」又は「an」という用語は、任意の他のインスタンス又は「少なくとも１つ」若しくは「１つ以上」の使用とは別に、１つ以外に１つ以上を含む。本文書において、「又は、若しくは、あるいは（or）」という用語は、非排他的であることを指すために使用されている。すなわち、別途明示されない限り、「Ａ又はＢ」は、「ＢではなくＡ」、「ＡではなくＢ」、及び「Ａ及びＢ」を含む。本文書において、「含む、備える、有する（including）」及び「ここにおいて（in  which）」という用語はそれぞれ、「含む、備える、有する（comprising）」及び「ここにおいて（wherein）」という用語と同等な平易な英語表現として使用されている。また、請求項において、「含む、備える、有する（including、comprising）」という用語は、オープンエンド形式である。請求項におけるそのような用語の後に列挙される構成要素以外の構成要素を含むシステム、ＵＥ、製品、構造物、形成物、又はプロセスもやはり、その請求項の範囲に属するとみなされる。さらに、請求項において、「第１の」、「第２の」、「第３の」等といった用語は、単にラベルとして使用されているに過ぎず、それらの用語の対象に数値的な要件を課すことを意図するものではない。
【００８６】
読者が技術的な開示内容の本質を迅速に確認できるようにする要約を求める３７Ｃ．Ｆ．Ｒ§１．７２（ｂ）に従うよう本開示の要約が提供されている。請求項の範囲又は意味を限定又は解釈するためには使用されないという理解の下で、要約は提出されている。さらに、上記の詳細な説明において、様々な特徴が、本開示を簡素化するために、単一の実施形態に一緒にグループ化されていることが確認できよう。このような方式の開示は、特許請求される実施形態が、各請求項において明示的に記載されるものよりも多くの特徴を必要とするという意図を示すものとして解釈されるべきではない。そうではなく、請求項が示すように、創造的な主題は、単一の開示した実施形態の全ての特徴よりも少ない特徴を含む。したがって、請求項は、詳細な説明に組み込まれ、各請求項は、それ自身、別々の実施形態として独立している。
【図１】
2017517226.tif 000003
【図２】
2017517226.tif 000004
【図３】
2017517226.tif 000005
【図４】
2017517226.tif 000006
【図５】
2017517226.tif 000007
【図６】
2017517226.tif 000008
【国際調査報告】
2017517226.tif 000009
2017517226.tif 000010